(57)【要約】【課題】陳列状態で内容物が持ち出されてしまうことを防止でき、しかも、生活者にとっては開封しやすいブリスターパックを提供する。【解決手段】ブリスターパック１０は、カバー部１１と、第１の基材１３と、第２の基材１４とを備え、カバー部１１は、内容物を収納するための凹部１２を成形した透明な合成樹脂の容器であり、第１の基材１３は、凹部１２を塞ぎ、通常状態では剥離しないようにカバー部１１に貼り合わされた基材であり、カバー部１１の周縁部にはカバー部１１を分離するための第１のハーフカットｈｃ１を備え、第２の基材１４は、第１の基材１３の裏面に略全面が剥離可能に貼り合わされた基材であり、第１及び第２の基材１３、１４は、使用する用紙の種類や厚みを自由に選択可能であるが、坪量は、６０〜２６０ｇ／ｍ2程度が好ましく、また、その表裏面には、取扱説明書、保証書、修理連絡先情報などの保管が必要な重要情報が印刷されている。【選択図】図１
2006151414.tif 000002
【特許請求の範囲】
【請求項１】
内容物を収納するための凹部を有するカバー部と、
少なくとも前記凹部を塞ぎ、通常状態では剥離しない強接着によって前記カバー部に貼り合わされた第１の基材と、
前記第１の基材の裏面に、少なくとも一部が剥離可能に貼り合わされた第２の基材と、
前記第１の基材における前記カバー部の周縁部の一部又は全部に設けられ、開封時に前記カバー部を分離するための第１のカット線と、
を備えるブリスターパック。
【請求項２】
請求項１に記載のブリスターパックにおいて、
前記第１の基材は、前記凹部の開口部内側に対応する部分に、前記内容物を取り出すための取出し予定線を備えること、
を特徴とするブリスターパック。
【請求項３】
請求項２に記載のブリスターパックにおいて、
前記取出し予定線は、切り取りのキッカケとなるキッカケ孔を備えること、
を特徴とするブリスターパック。
【請求項４】
請求項１に記載のブリスターパックにおいて、
前記第１の基材は、前記凹部の開口部内側に対応する部分に、ループ状の第２のカット線を備え、
前記カバー部を分離すると、前記第２のカット線の内側の部分が前記第２の基材側に残ること、
を特徴とするブリスターパック。
【請求項５】
請求項１から請求項４までのいずれか１項に記載のブリスターパックにおいて、
前記第１及び／又は第２の基材は、保管が必要な重要情報を備え、
前記重要情報又はその付近には、所定の条件下で色が変化する色変化部が形成されていること、
を特徴とするブリスターパック。
【請求項６】
請求項１から請求項４までのいずれか１項に記載のブリスターパックにおいて、
前記第１及び／又は第２の基材は、保管が必要な重要情報を備え、
前記重要情報又はその付近には、所定の条件下で像が浮き出る潜像部が形成されていること、
を特徴とするブリスターパック。
【請求項７】
請求項１から請求項４までのいずれか１項に記載のブリスターパックにおいて、
前記第１及び／又は第２の基材は、保管が必要な重要情報を備え、
前記重要情報又はその付近には、固有の識別情報が形成されていること、
を特徴とするブリスターパック。
【請求項８】
請求項５から請求項７までのいずれか１項に記載のブリスターパックにおいて、
前記重要情報は、前記第２のカット線の内側の部分に設けられていること、
を特徴とするブリスターパック。
【請求項９】
請求項１から請求項８までのいずれか１項に記載のブリスターパックにおいて、
前記第１及び／又は第２の基材は、坪量が６０〜２６０ｇ／ｍ2であること、
を特徴とするブリスターパック。
【発明の詳細な説明】
【技術分野】
【０００１】
本発明は、外部から視認可能に内容物を包装するブリスターパックに関するものである。
【背景技術】
【０００２】
特許文献１は、開封時に透明樹脂インキ層を凝縮破壊させて開封の履歴を残し、改ざんを発見又は防止するブリスターパックを開示している。
【０００３】
しかし、特許文献１のブリスターパックは、開封の履歴は残るものの、開封は可能であるので、商品の陳列状態から、内容物を持ち出されてしまうおそれがあった。
【０００４】
この問題を解決するために、内容物を強固に封緘してしまうことも考えられるが、そうすると、生活者が実際に開封する場合に、開封しづらいという問題が発生してしまう。
【特許文献１】特開昭６２−４０７４号公報
【発明の開示】
【発明が解決しようとする課題】
【０００５】
本発明の課題は、陳列状態で内容物が持ち出されてしまうことを防止でき、しかも、生活者にとっては開封しやすいブリスターパックを提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、内容物を収納するための凹部（１２）を有するカバー部（１１）と、少なくとも前記凹部（１２）を塞ぎ、通常状態では剥離しない強接着によって前記カバー部（１１）に貼り合わされた第１の基材（１３）と、前記第１の基材（１３）の裏面に、少なくとも一部が剥離可能に貼り合わされた第２の基材（１４）と、前記第１の基材（１３）における前記カバー部（１１）の周縁部の一部又は全部に設けられ、開封時に前記カバー部（１１）を分離するための第１のカット線（ｈｃ１）と、を備えるブリスターパックである。
請求項２の発明は、請求項１に記載のブリスターパックにおいて、前記第１の基材（１３）は、前記凹部（１２）の開口部内側に対応する部分に、前記内容物を取り出すための取出し予定線を備えること、を特徴とするブリスターパックである。
請求項３の発明は、請求項２に記載のブリスターパックにおいて、前記取出し予定線は、切り取りのキッカケとなるキッカケ孔を備えること、を特徴とするブリスターパックである。
請求項４の発明は、請求項１に記載のブリスターパックにおいて、前記第１の基材（１３）は、前記凹部（１２）の開口部内側に対応する部分に、ループ状の第２のカット線（ｈｃ２）を備え、前記カバー部（１１）を分離すると、前記第２のカット線（ｈｃ２）の内側の部分が前記第２の基材（１４）側に残ること、を特徴とするブリスターパックである。
請求項５の発明は、請求項１から請求項４までのいずれか１項に記載のブリスターパックにおいて、前記第１及び／又は第２の基材（１３、１４）は、保管が必要な重要情報を備え、前記重要情報又はその付近には、所定の条件下で色が変化する色変化部（１７）が形成されていること、を特徴とするブリスターパックである。
請求項６の発明は、請求項１から請求項４までのいずれか１項に記載のブリスターパックにおいて、前記第１及び／又は第２の基材（１３、１４）は、保管が必要な重要情報を備え、前記重要情報又はその付近には、所定の条件下で像が浮き出る潜像部（１８）が形成されていること、を特徴とするブリスターパックである。
請求項７の発明は、請求項１から請求項４までのいずれか１項に記載のブリスターパックにおいて、前記第１及び／又は第２の基材（１３、１４）は、保管が必要な重要情報を備え、前記重要情報又はその付近には、固有の識別情報（１６）が形成されていること、を特徴とするブリスターパックである。
請求項８の発明は、請求項５から請求項７までのいずれか１項に記載のブリスターパックにおいて、前記重要情報（１５）は、前記第２のカット線（ｈｃ２）の内側の部分に設けられていること、を特徴とするブリスターパックである。
請求項９の発明は、請求項１から請求項８までのいずれか１項に記載のブリスターパックにおいて、前記第１及び／又は第２の基材（１３、１４）は、坪量が６０〜２６０ｇ／ｍ2であること、を特徴とするブリスターパックである。
【発明の効果】
【０００７】
本発明によれば、カバー部と第１の基材とは、強接着によって貼り合わされているので、第１の基材からカバー部を剥離することは困難であり、陳列状態で内容物のみが持ち出されてしまうことを防止でき、たとえ、第１のカット線によってカバー部ごと内容物が持ち出されてしまうことがあっても、その場合には、カバー部がなくなり、下地の印刷が表出するため、不正を発見しやすく、盗難などの不正行為に対する抑止効果がある。
また、開封時には、第１のカット線によってカバー部を分離することができるので、生活者にとっては開封しやすい。
【発明を実施するための最良の形態】
【０００８】
本発明は、陳列状態で内容物が持ち出されてしまうことを防止でき、しかも、生活者にとっては開封しやすいブリスターパックを提供するという目的を、カバー部と第１の基材とをヒートシールによって強接着し、第１の基材と第２の基材とを剥離可能に貼り合せ、第１の基材におけるカバー部の周縁部に第１のハーフカットを形成することにより実現する。
【実施例１】
【０００９】
以下、図面等を参照して、本発明の実施例について、さらに詳しく説明する。
図１は、本発明によるブリスターパックの実施例１を示す図である。
実施例１のブリスターパック１０は、カバー部１１と、第１の基材１３と、第２の基材１４などとを備える。
【００１０】
カバー部１１は、真空成形又は圧空成形などの成形法で、内容物を収納するための凹部１２を成形した透明な合成樹脂の容器である。
【００１１】
第１の基材１３は、凹部１２を塞ぎ、通常状態では剥離しないヒートシール（強接着）によってカバー部１１に貼り合わされた基材であり、カバー部１１と接触する部分には、ヒートシール剤がコーティングされている。
また、第１の基材１３は、カバー部１１が配置される部分の周縁部の全部に、開封時にカバー部１１を分離するための第１のハーフカット（第１のカット線）ｈｃ１を備える。
【００１２】
第２の基材１４は、第１の基材１３の裏面に略全面が剥離可能に貼り合わされた基材である。
【００１３】
第１及び第２の基材１３、１４は、使用する用紙の種類や厚みを自由に選択可能であるが、坪量は、６０〜２６０ｇ／ｍ2（連量に換算すると、５１．６〜２２３．７ｋｇ／四六）程度が好ましく、また、その表裏面には、取扱説明書、保証書、修理連絡先情報などの保管が必要な重要情報が印刷されている。
【００１４】
このブリスターパック１０を製造する場合は、まず、あらかじめ一般情報が印刷された第１及び第２の基材１３、１４に個別情報を印字し、ついで、絵柄を同調させて貼り合わせ、さらに、所定のサイズにカットし、そして、その上に内容物を乗せて、カバー部１１をかぶせ、最後に、熱をかけて接着する。
【００１５】
完成したブリスターパック１０は、出荷され、図１（Ｂ）に示すような状態で、それぞれの店舗に陳列され、生活者に購入される。
生活者は、図１（Ｃ）に示すように、第１のハーフカットｈｃ１によって、第１の基材１３の第１のハーフカットｈｃ１よりも内側の部分を剥離しながらカバー部１１を分離し、内面の印刷内容を確認し、その後に、カバー部１１の裏側の第１の基材１３を破り、内容物を取り出す。
【００１６】
このように、実施例１によれば、以下のような効果がある。
（１）カバー部１１と第１の基材１３とは、ヒートシールによって強接着されているので、第１の基材１３からカバー部１１を剥離することは困難であり、陳列状態で内容物のみが持ち出されてしまうことを防止でき、たとえ、第１のハーフカットｈｃ１によってカバー部１１ごと内容物が持ち出されてしまうことがあっても、その場合には、カバー部１１を含む部分がなくなり、下地の印刷が表出するため、不正を発見しやすく、盗難などの不正行為に対する抑止効果がある。
（２）開封時には、第１のハーフカットｈｃ１によってカバー部１１を分離することができるので、生活者にとっては開封しやすい。
【００１７】
（３）第１及び第２の基材１３、１４の坪量を６０〜２６０ｇ／ｍ2程度にすることにより、プリンタによって個別情報などを簡単に印字でき、小ロットの製品に対応しやすい。
（４）第１の基材１３の裏面に第２の基材１４を剥離可能に貼り合わせたので、十分な印刷スペースを確保でき、各基材の表裏面を、取扱説明書、保証書、修理連絡先情報などとして有効に活用できる。また、個別情報として、パスワードなどの秘匿情報を印字する場合には、貼り合わせ面に印字して、秘匿性を保つことができる。
【実施例２】
【００１８】
図２は、本発明によるブリスターパックの実施例２を示す図である。
なお、前述した実施例１と同様な機能を果たす部分には、同一の符号又は末尾に統一した符号を付して、重複する説明や図面を適宜省略する。
実施例２のブリスターパック１０Ａは、実施例１のものよりも、内容物を取り出しやすくし、かつ、セキュリティ対策を重視したものである。
【００１９】
第１の基材１３は、凹部１２の開口部内側に対応する部分に、ループ状（閉じた経路）の第２のハーフカット（第２のカット線）ｈｃ２を備え、第２のハーフカットｈｃ２の内側の部分には、重要情報としての保証書１５が設けられている。
【００２０】
保証書１５には、固有番号や２次元コードなどのロット番号（識別情報）１６が印字され、また、保証書１５の右端部付近には、保証書１５の一部にかかるように、用紙を傾けると無色からピンク色に色が変わるパール印刷の領域（色変化部）１７が設けられている。
また、第１の基材１３の上端部付近には、用紙を傾けると像が出てくる潜像領域（潜像部）１８が設けられている。
【００２１】
そして、このブリスターパック１０Ａを開封する場合には、図２（Ｂ）に示すように、第１のハーフカットｈｃ１によって、カバー部１１を分離する。
このとき、第２のハーフカットｈｃ２によって、その内側の部分（保証書１５部分）が第２の基材側１４に残る一方で、カバー部１１の裏側には開封口が形成される。
なお、第２の基材１４の表出する部分には、『剥がしてお買い上げレシートとともに保証書として保管してください。』などのコメント１９をあらかじめ印刷しておくとよい。
【００２２】
このように、実施例２によれば、第２のハーフカットｈｃ２によって、開封口が形成されるので、第１の基材１３を破く手間が省け、内容物をより簡単に取り出すことができる。
また、カバー部１１を分離したときに、保証書１５が現れるので、直感的にわかりやすく、保証書１５を見落としたり、誤って棄ててしまったりすることがない。
さらに、ロット番号１６やパール印刷の領域１７、潜像領域１８を設けたので、真贋判定が可能となり、ブランドプロテクション（ブランドの保護）につながる。
【００２３】
（変形例）
以上説明した実施例に限定されることなく、種々の変形や変更が可能であって、それらも本発明の均等の範囲内である。
（１）ヒートシールで接着する例で説明したが、通常の接着剤や粘着テープで、カバー部１１と第１の基材１３とを接着してもよい。
（２）第１のハーフカットｈｃ１は、カバー部１１が配置される部分の周縁部の全部に設ける例で説明したが、万引きやイタズラを防止するために、例えば、１辺には切り込みを入れないようにして、フラップ状（開き扉状）に開封できるような形態にしてもよい。
【００２４】
（３）実施例１では、第１の基材１３におけるカバー部１１の凹部１２の開口部内側に対応する部分に、内容物を取り出すための取出しミシン目（取出し予定線）を形成したり、その取出しミシン目に、指の一部を挿入可能な切り取りのキッカケとなるキッカケ孔を設けたりしてもよい。このようにすれば、取出しミシン目でカバー部１１を開封することができるので、内容物をより取り出しやすくなる。
【図面の簡単な説明】
【００２５】
【図１】本発明によるブリスターパックの実施例１を示す図である。
【図２】本発明によるブリスターパックの実施例２を示す図である。
【符号の説明】
【００２６】
１０、１０Ａ  ブリスターパック
１１  カバー部
１２  凹部
１３  第１の基材
１４  第２の基材
１５  保証書
１６  ロット番号（識別情報）
１７  パール印刷の領域（色変化部）
１８  潜像領域（潜像部）
１９  コメント
ｈｃ１  第１のハーフカット（第１のカット線）
ｈｃ２  第２のハーフカット（第２のカット線）
【図１】
2006151414.tif 000003
【図２】
2006151414.tif 000004